(57)【要約】【課題】交差偏波干渉補償回路がリセット状態に切り替えられた時に、デジタルマイクロ波通信装置内の他の回路の制御に悪影響を与えてビット誤り率特性が劣化することなく、交差偏波干渉補償回路をリセット状態に移行させる。【解決手段】交差偏波干渉補償回路（ＸＰＩＣ回路）は、自偏波側信号にもれ込んだ異偏波側信号を打ち消すＸＰＩＣ信号をタップ係数に応じて生成して出力するトランスバーサルフィルタ７と、自偏波側信号の所定の格子点からのずれを表す誤差信号と異偏波側のＩｃｈ信号およびＱｃｈ信号との相関に応じてトランスバーサルフィルタ７のタップ係数を生成し、ＸＰＩＣ回路がリセット状態に切り替えられたことを表すＸＰＩＣリセット信号が入力された時に、タップ係数を徐々に０に近づけるタップ係数生成回路８とを有している。【選択図】　　　図２
2004112288.tif 000002
【特許請求の範囲】
【請求項１】
互いに直交する自偏波および異偏波を用いた両偏波伝送方式のデジタルマイクロ波通信装置に設けられた交差偏波干渉補償回路において、
自偏波側信号にもれ込んだ異偏波側信号を打ち消す交差偏波干渉補償信号をタップ係数に応じて生成して出力するトランスバーサルフィルタと、
前記自偏波側信号の所定の格子点からのずれを表す誤差信号と前記異偏波側信号との相関に応じて前記タップ係数を生成し、前記交差偏波干渉補償回路がリセット状態に切り替えられた時に前記タップ係数を徐々に０に近づけるタップ係数生成手段とを有することを特徴とする交差偏波干渉補償回路。
【請求項２】
前記タップ係数生成手段は、
カウントアップまたはカウントダウンのカウント動作を行い、該カウント値により前記タップ係数を生成するアップダウンカウンタと、
前記自偏波側信号の所定の格子点からのずれを表す誤差信号と前記異偏波側信号との相関を計算し、該計算結果に応じた信号を生成する相関手段と、
前記交差偏波干渉補償回路がリセット状態に切り替えられた時に、前記アップダウンカウンタのカウントアップ／カウントダウンの極性を切り替えるための信号を生成するカウンタ制御手段とを有し、
前記アップダウンカウンタは、前記交差偏波干渉補償回路が非リセット状態に切り替えられた時に、前記相関手段にて生成された信号の極性に応じてカウントアップまたはカウントダウンのカウント動作を行い、前記交差偏波干渉補償回路がリセット状態に切り替えられた時に、前記カウンタ制御手段にて生成された信号に応じてカウントアップ／カウントダウンの極性を切り替え、カウント値が０になるまでカウントアップまたはカウントダウンのカウント動作を行う、請求項１に記載の交差偏波干渉補償回路。
【請求項３】
前記自偏波側信号の互いに直交する２つのベースバンド信号の各々にもれ込んだ異偏波側信号を打ち消す交差偏波干渉補償信号を各々生成するために、前記トランスバーサルフィルタおよび前記タップ係数生成手段の組が２組設けられている、請求項１または２に記載の交差偏波干渉補償回路。
【請求項４】
互いに直交する自偏波および異偏波を用いた両偏波伝送方式のデジタルマイクロ波通信装置に設けられた交差偏波干渉補償回路において、
自偏波側信号にもれ込んだ異偏波側信号を打ち消す信号をタップ係数に応じて生成するトランスバーサルフィルタと、
前記自偏波側信号の所定の格子点からのずれを表す誤差信号と前記異偏波側信号との相関に応じて前記タップ係数を生成し、前記交差偏波干渉補償回路がリセット状態に切り替えられた時にその時点の前記タップ係数を保持するタップ係数生成手段と、
前記交差偏波干渉補償回路がリセット状態に切り替えられた時に徐々に０に近づく信号を生成する出力制御手段と、
前記トランスバーサルフィルタの出力信号と前記出力制御手段の出力信号とを乗算し、該乗算結果を交差偏波干渉補償信号として出力する乗算手段とを有することを特徴とする交差偏波干渉補償回路。
【請求項５】
前記タップ係数生成手段は、
カウントアップまたはカウントダウンのカウント動作を行い、該カウント値により前記タップ係数を生成するアップダウンカウンタと、
前記自偏波側信号の所定の格子点からのずれを表す誤差信号と前記異偏波側信号との相関を計算し、該計算結果に応じた信号を生成する相関手段とを有し、
前記アップダウンカウンタは、前記交差偏波干渉補償回路が非リセット状態に切り替えられた時に、前記相関手段にて生成された信号の極性に応じてカウントアップまたはカウントダウンのカウント動作を行い、前記交差偏波干渉補償回路がリセット状態に切り替えられた時に、カウント動作を停止してその時点のカウント値を保持し、
前記出力制御手段は、前記交差偏波干渉補償回路が非リセット状態に切り替えられた時にカウント値が１．０にプリセットされ、前記交差偏波干渉補償回路がリセット状態に切り替えられた時にカウント値が０になるまでカウントダウンを行うダウンカウンタを有し、該ダウンカウンタのカウント値を表す信号を前記乗算手段に出力するとともに、該ダウンカウンタのカウント値が０になった時点で前記アップダウンカウンタのカウント値を０にする、請求項４に記載の交差偏波干渉補償回路。
【請求項６】
前記自偏波側信号の互いに直交する２つのベースバンド信号の各々にもれ込んだ異偏波側信号を打ち消す交差偏波干渉補償信号を各々生成するために、前記トランスバーサルフィルタ、前記タップ係数生成手段、前記出力制御手段、および前記乗算手段の組が２組設けられている、請求項４または５に記載の交差偏波干渉補償回路。
【発明の詳細な説明】
【０００１】
【発明の属する技術分野】
本発明は、互いに直交する２つの偏波を用いた両偏波伝送方式のデジタルマイクロ波通信装置に設けられた交差偏波干渉補償回路（ＸＰＩＣ：Ｃｒｏｓｓ　Ｐｏｌａｒｉｚａｔｉｏｎ　Ｉｎｔｅｒｆｅｒｅｎｃｅ　Ｃａｎｃｅｌｌｅｒ）に関し、特に、リセット時に発生するビット誤り率特性の劣化を防止する交差偏波干渉補償回路に関する。
【０００２】
【従来の技術】
従来、デジタルマイクロ波通信装置においては、同一周波数の互いに直交する２つの偏波（自偏波、異偏波）を用いて信号の伝送を行う両偏波伝送方式が用いられている。この両偏波伝送方式においては、自偏波側信号中にもれ込んだ異偏波側信号による交差偏波干渉成分を補償するために、交差偏波干渉補償回路（以後、ＸＰＩＣ回路と呼ぶ）が設けられている（例えば、特許文献１）。
【０００３】
ＸＰＩＣ回路の一例として、自偏波側信号中の交差偏波干渉成分を打ち消す交差偏波干渉補償信号（以後、ＸＰＩＣ信号と呼ぶ）を生成するトランスバーサルフィルタと、トランスバーサルフィルタから出力されるＸＰＩＣ信号によって自偏差側信号中の交差偏波干渉成分を打ち消すことができるようなタップ係数を生成するタップ係数生成回路とから構成されるものがある。このＸＰＩＣ回路では、タップ係数を元にトランスバーサルフィルタでＸＰＩＣ信号が生成される。
【０００４】
ところで、ＸＰＩＣ回路は、未使用時や保守時にリセット状態に移行される構成となっており、その一例として、タップ係数生成回路に相当する回路にリセット信号を入力し、該回路の出力を制御することにより、ＸＰＩＣ回路をリセットする構成のものがある（例えば、特許文献２）。この特許文献２においては、タップ係数生成回路に相当する制御信号発生回路の構成に関する詳細な記載はないが、一般的なタップ係数生成回路は、アップダウンカウンタを用いてタップ係数を生成する図１０のような構成になっている。なお、図１０は、従来のＸＰＩＣ回路に設けられたタップ係数生成回路の全体構成のうち、実際にタップ係数を生成する部分であるタップコントローラの構成のみを示してある。
【０００５】
図１０に示したタップコントローラは、自偏波側のデータ信号の所定の格子点からのずれを表す誤差信号と異偏波側のデータ信号との相関を計算する相関器２２と、相関器２２の計算結果に応じてカウントアップまたはカウントダウンのカウント動作を行い、該カウント値がＸＰＩＣ信号となるアップダウンカウンタ２３とから構成されている。
【０００６】
また、図１０に示したタップコントローラは、リセット信号（ＸＰＩＣリセット信号）が直接アップダウンカウンタ２３に入力される構成となっている。そのため、アップダウンカウンタ２３にＸＰＩＣリセット信号が入力された瞬間に即座にタップ係数がリセットされて０になり、それにより、トランスバーサルフィルタから出力されるＸＰＩＣ信号の出力が急変して０になる。
【０００７】
【特許文献１】
特開２０００−１６５３３９号公報
【特許文献２】
特開平０５−１２２１８９号公報
【０００８】
【発明が解決しようとする課題】
しかしながら、従来のＸＰＩＣ回路においては、リセットされた瞬間にＸＰＩＣ信号の出力が急変することで、デジタルマイクロ波通信装置内の他の回路の制御において最適制御点からのずれが発生するため、再び最適制御点に収束するまでの間、ビット誤り率特性が劣化してしまうという問題がある。
【０００９】
そこで、本発明の目的は、交差偏波干渉補償回路がリセット状態に切り替えられた時に、デジタルマイクロ波通信装置内の他の回路の制御に悪影響を与えてビット誤り率特性が劣化することなく、交差偏波干渉補償回路をリセット状態に移行させることができる交差偏波干渉補償回路を提供することにある。
【００１０】
【課題を解決するための手段】
上記目的を達成するために本発明の交差偏波干渉補償回路は、
互いに直交する自偏波および異偏波を用いた両偏波伝送方式のデジタルマイクロ波通信装置に設けられた交差偏波干渉補償回路において、
自偏波側信号にもれ込んだ異偏波側信号を打ち消す交差偏波干渉補償信号をタップ係数に応じて生成して出力するトランスバーサルフィルタと、
前記自偏波側信号の所定の格子点からのずれを表す誤差信号と前記異偏波側信号との相関に応じて前記タップ係数を生成し、前記交差偏波干渉補償回路がリセット状態に切り替えられた時に前記タップ係数を徐々に０に近づけるタップ係数生成手段とを有することを特徴とするものである。
【００１１】
より具体的には、前記タップ係数生成手段は、
カウントアップまたはカウントダウンのカウント動作を行い、該カウント値により前記タップ係数を生成するアップダウンカウンタと、
前記自偏波側信号の所定の格子点からのずれを表す誤差信号と前記異偏波側信号との相関を計算し、該計算結果に応じた信号を生成する相関手段と、
前記交差偏波干渉補償回路がリセット状態に切り替えられた時に、前記アップダウンカウンタのカウントアップ／カウントダウンの極性を切り替えるための信号を生成するカウンタ制御手段とを有し、
前記アップダウンカウンタは、前記交差偏波干渉補償回路が非リセット状態に切り替えられた時に、前記相関手段にて生成された信号の極性に応じてカウントアップまたはカウントダウンのカウント動作を行い、前記交差偏波干渉補償回路がリセット状態に切り替えられた時に、前記カウンタ制御手段にて生成された信号に応じてカウントアップ／カウントダウンの極性を切り替え、カウント値が０になるまでカウントアップまたはカウントダウンのカウント動作を行うことを特徴とするものである。
【００１２】
上記のような構成によれば、交差偏波干渉補償回路がリセット状態に切り替えられた時に、タップ係数生成手段から出力されるタップ係数が徐々に０に近づくため、トランスバーサルフィルタからから出力される交差偏波干渉補償信号は徐々に０に近づくことになる。従って、交差偏波干渉補償回路がリセット状態に切り替えられた時に、デジタルマイクロ波通信装置内の他の回路の制御に悪影響を与えてビット誤り率特性が劣化することなく、交差偏波干渉補償回路をリセット状態に移行させることが可能となる。
【００１３】
なお、前記自偏波側信号の互いに直交する２つのベースバンド信号の各々にもれ込んだ異偏波側信号を打ち消す交差偏波干渉補償信号を各々生成するために、前記トランスバーサルフィルタおよび前記タップ係数生成手段の組は２組設けられている。
【００１４】
上記目的を達成するために本発明の他の態様による交差偏波干渉補償回路は、互いに直交する自偏波および異偏波を用いた両偏波伝送方式のデジタルマイクロ波通信装置に設けられた交差偏波干渉補償回路において、
自偏波側信号にもれ込んだ異偏波側信号を打ち消す信号をタップ係数に応じて生成するトランスバーサルフィルタと、
前記自偏波側信号の所定の格子点からのずれを表す誤差信号と前記異偏波側信号との相関に応じて前記タップ係数を生成し、前記交差偏波干渉補償回路がリセット状態に切り替えられた時にその時点の前記タップ係数を保持するタップ係数生成手段と、
前記交差偏波干渉補償回路がリセット状態に切り替えられた時に徐々に０に近づく信号を生成する出力制御手段と、
前記トランスバーサルフィルタの出力信号と前記出力制御手段の出力信号とを乗算し、該乗算結果を交差偏波干渉補償信号として出力する乗算手段とを有することを特徴とするものである。
【００１５】
より具体的には、前記タップ係数生成手段は、
カウントアップまたはカウントダウンのカウント動作を行い、該カウント値により前記タップ係数を生成するアップダウンカウンタと、
前記自偏波側信号の所定の格子点からのずれを表す誤差信号と前記異偏波側信号との相関を計算し、該計算結果に応じた信号を生成する相関手段とを有し、
前記アップダウンカウンタは、前記交差偏波干渉補償回路が非リセット状態に切り替えられた時に、前記相関手段にて生成された信号の極性に応じてカウントアップまたはカウントダウンのカウント動作を行い、前記交差偏波干渉補償回路がリセット状態に切り替えられた時に、カウント動作を停止してその時点のカウント値を保持し、
前記出力制御手段は、前記交差偏波干渉補償回路が非リセット状態に切り替えられた時にカウント値が１．０にプリセットされ、前記交差偏波干渉補償回路がリセット状態に切り替えられた時にカウント値が０になるまでカウントダウンを行うダウンカウンタを有し、該ダウンカウンタのカウント値を表す信号を前記乗算手段に出力するとともに、該ダウンカウンタのカウント値が０になった時点で前記アップダウンカウンタのカウント値を０にすることを特徴とするものである。
【００１６】
上記のような構成によれば、交差偏波干渉補償回路がリセット状態に切り替えられた時に、出力制御手段の出力が徐々に０に近づき、この出力とトランスバーサルフィルタの出力とが掛け合わされたものが交差偏波干渉補償信号として出力されるため、交差偏波干渉補償信号は徐々に０に近づくことになる。従って、交差偏波干渉補償回路がリセット状態に切り替えられた時に、デジタルマイクロ波通信装置内の他の回路の制御に悪影響を与えてビット誤り率特性が劣化することなく、交差偏波干渉補償回路をリセット状態に移行させることが可能となる。
【００１７】
なお、前記自偏波側信号の互いに直交する２つのベースバンド信号の各々にもれ込んだ異偏波側信号を打ち消す交差偏波干渉補償信号を各々生成するために、前記トランスバーサルフィルタ、前記タップ係数生成手段、前記出力制御手段、および前記乗算手段の組は２組設けられている。
【００１８】
【発明の実施の形態】
以下に、本発明の実施の形態について図面を参照して説明する。
【００１９】
（第１の実施形態）
図１は、本発明の交差偏波干渉補償回路（以後、ＸＰＩＣ回路と呼ぶ）３を用いたデジタルマイクロ波通信装置の復調装置の一構成例を示す図である。この復調装置は、直交振幅変調方式（ＱＡＭ：Ｑｕａｄｒａｔｕｒｅ　Ａｍｐｌｉｔｕｄｅ　Ｍｏｄｕｌａｔｉｏｎ）の復調装置を想定している。
【００２０】
図１に示した復調装置は、２つのＡ／Ｄ変換器１と、２つの直交検波器２と、ＸＰＩＣ回路３と、２つの加算器４と、ＡＧＣ（Ａｕｔｏ　Ｇａｉｎ　Ｃｏｎｔｒｏｌ）回路５と、誤差検出回路６とから構成されている。なお、図１に示した復調装置は、クロック同期、搬送波同期を確立する手段を備えているが、これらは省略されている。
【００２１】
Ａ／Ｄ変換器１は、以後の処理をデジタルで行うために、自偏波側の中間周波数（ＩＦ：Ｉｎｔｅｒｍｅｄｉａｔｅ　Ｆｒｅｑｕｅｎｃｙ）信号または異偏波側の参照ＩＦ信号であるＸＩＦ信号を、アナログ信号からデジタル信号に変換する機能を有する。
【００２２】
直交検波器２は、Ａ／Ｄ変換器１から入力されたＩＦ信号またはＸＩＦ信号を、２つの直交成分（ベースバンド信号）に変換する機能を有する。以後、２つの直交成分を一般的に呼ばれているようにＩｃｈ信号、Ｑｃｈ信号と呼ぶ。直交検波器２は、本発明の機能自体には直接関係しないため、詳細な説明は省略する。
【００２３】
なお、図１に示した構成は、その一例として、Ａ／Ｄ変換器１でＩＦ信号またはＸＩＦ信号をデジタル信号に変換してから、直交検波器２で直交検波する構成となっているが、直交検波器でＩＦ信号またはＸＩＦ信号を直交検波してから、Ａ／Ｄコンバータでデジタル信号に変換する構成としても良い。この部分の順番が変わっても本発明の効果には何も影響しない。
【００２４】
ＸＰＩＣ回路３は、異偏波側の直交検波器２から入力されたＩｃｈ信号およびＱｃｈ信号について、誤差検出器６から入力された誤差信号との相関をそれぞれ求め、相関がある場合には自偏波側信号に異偏波側信号がもれ込み交差偏波干渉成分になっていると判断して、それぞれ独立に自偏波側信号中の交差偏波干渉成分を打ち消す交差偏波干渉補償信号（以後、ＸＰＩＣ信号と呼ぶ）を生成する機能を有し、外部入力されるＸＰＩＣリセット信号によってリセットされる。
【００２５】
加算器４は、自偏波側の直交検波器２から入力されたＩｃｈ信号またはＱｃｈ信号に、ＸＰＩＣ回路３から入力されたＸＰＩＣ信号を加算し、自偏波側信号中の交差偏波干渉成分を打ち消す機能を有する。
【００２６】
ＡＧＣ回路５は、加算器４から入力されたＩｃｈ信号およびＱｃｈ信号について、予め決められた格子点上に乗るように、それぞれ独立に利得を調整する機能を有する。ＡＧＣ回路５は、誤差検出回路６からの誤差信号を元に利得の調整を行う。したがって、ＡＧＣ回路５の出力信号点の各点において、その平均値が格子点に乗るような制御がかかることになるが、詳細な説明は省略する。
【００２７】
誤差検出回路６は、ＡＧＣ回路５の出力信号点の各点において、予め決められた格子点からのずれを判定する機能を有する。誤差検出回路６は、Ｉｃｈ信号およびＱｃｈ信号について独立して判定を行い、それぞれの判定結果を誤差信号としてＸＰＩＣ回路３およびＡＧＣ回路５に出力する。
【００２８】
ここで、ＸＰＩＣ回路３の構成について詳しく述べる。なお、以下の説明では、ＸＰＩＣ回路３の全体構成のうち、Ｉｃｈ側ＸＰＩＣ信号の出力部分の構成についてのみ図示して説明することとし、Ｑｃｈ側ＸＰＩＣ信号の出力部分は同等の構成であるため説明を省略する。
【００２９】
図２は、本発明の第１の実施形態によるＸＰＩＣ回路３を示す図であり、Ｉｃｈ側ＸＰＩＣ信号の出力部分の構成のみを示している。
【００３０】
図２に示したＸＰＩＣ回路３は、Ｉｃｈ側ＸＰＩＣ信号を生成するトランスバーサルフィルタ７と、トランスバーサルフィルタ７のタップ係数を生成するタップ係数生成回路８とから構成されている。なお、図２に示したＸＰＩＣ回路３は、Ｑｃｈ側ＸＰＩＣ信号の出力部分に、図２と同等のトランスバーサルフィルタおよびタップ係数生成回路の組を備えているが、これらは省略されている。
【００３１】
図３は、図２に示したトランスバーサルフィルタ７の一構成例を示す図である。ここでは、一例として転置形のフィルタ構成を示している。
【００３２】
図３に示したトランスバーサルフィルタ７は、異偏波側の直交検波器２から入力された同相成分のデータ信号（Ｉｃｈ側のデータ信号）および直交成分のデータ信号（Ｑｃｈ側のデータ信号）のそれぞれのフィルタ出力を加算する形になっている。すなわち、トランスバーサルフィルタ７は、タップ係数生成回路８から入力されたタップ係数Ｃと異偏波側の直交検波器２から入力されたデータ信号を掛け合わせる乗算器９と、乗算器９の乗算結果を加算する加算器１０と、加算器１０の加算結果を１サンプリング周期（１Ｔ）だけ遅らせるフリップフロップ（ＦＦ）１１とから構成されている。なお、トランスバーサルフィルタ７の動作の詳細については一般的に知られているため詳細な説明は省略する。
【００３３】
図４は、図２に示したタップ係数生成回路８の一構成例を示す図である。
【００３４】
図４に示したタップ係数生成回路８は、トランスバーサルフィルタ７の出力によって自偏差側信号中の交差偏波干渉成分を打ち消すことができるようなタップ係数Ｃを、異偏波側の直交検波器２から入力された同相成分のデータ信号（Ｉｃｈ側のデータ信号）および直交成分のデータ信号（Ｑｃｈ側のデータ信号）と誤差検出回路６から入力されたＩｃｈ側誤差信号を元に生成する形になっている。すなわち、タップ係数生成回路８は、フリップフロップ１３からなり、異偏波側の直交検波器２から入力されたデータ信号を１Ｔごとにシフトするシフトレジスタと、タップ係数Ｃを生成するタップコントローラ１２とから構成されている。
【００３５】
タップ係数生成回路８においては、シフトレジスタにより異偏波側の一定期間の連続したデータ信号列が用意され、それぞれのデータ信号列と誤差信号との相関が計算され、相関の取れたタップ係数Ｃが成長する。すると、トランスバーサルフィルタ７においては、そのタップ係数Ｃを元にＸＰＩＣ信号が生成される。
【００３６】
ここで、タップコントローラ１２の構成について詳しく述べる。
【００３７】
図５は、図４に示したタップコントローラ１２の一構成例を示す図である。
【００３８】
図５に示したタップコントローラ１２は、異偏波側の直交検波器２から入力された同相成分のデータ信号（Ｉｃｈ側のデータ信号）および直交成分のデータ信号（Ｑｃｈ側のデータ信号）と誤差検出回路６から入力されたＩｃｈ側誤差信号との相関を取る相関器１４と、タップ係数Ｃを生成するアップダウンカウンタ１７と、セレクタ（ＳＥＬ）１５と、カウンタ制御回路１６とから構成されている。
【００３９】
相関器１４は、異偏波側の直交検波器２から入力されたデータ信号と誤差検出器６から入力されたＩｃｈ側誤差信号との信号間の相関を計算し、その計算結果をアップダウンカウンタ１７のアップダウン入力に出力する。
【００４０】
アップダウンカウンタ１７は、相関器１４からセレクタ１５を介してアップダウン入力へ入力された信号の極性に応じてカウントアップもしくはカウントダウンのカウント動作を行い、そのカウンタ出力値がタップ係数Ｃとなる。ここでは、アップダウン入力がＨの時にカウントアップし、Ｌの時にカウントダウンするものとする。また、リセット入力へ入力されたカウンタリセット信号がＬ（リセット状態）の時にはカウンタ出力が０にリセットされる。
【００４１】
セレクタ１５は、ＸＰＩＣリセット信号がＨ、すなわち非リセット状態である時には相関器１４の出力を選択してアップダウンカウンタ１７のアップダウン入力に出力し、ＸＰＩＣリセット信号がＬ、すなわちリセット状態である時にはカウンタ制御回路１６の出力を選択してアップダウンカウンタ１７のアップダウン入力に出力する。
【００４２】
カウンタ制御回路１６は、ＸＰＩＣリセット信号がＨの時には、カウンタリセット信号をＨ（非リセット状態）にしてアップダウンカウンタ１７のリセット入力に出力し、ＸＰＩＣリセット信号がＬになった時には、アップダウンカウンタ１７のカウンタ出力が０以外であれば、その極性によってアップダウンカウンタのカウントアップ／カウントダウンの極性を切り替える。すなわち、アップダウンカウンタ１７のカウンタ出力が正の時にはＬ（カウントダウン）を、負の時にはＨ（カウントアップ）をセレクタ１５に出力する。そして、アップダウンカウンタ１７のカウンタ出力が０になった時には、カウンタリセット信号をＬ（リセット状態）にしてアップダウンカウンタ１７のリセット入力に出力する。
【００４３】
以下、本実施形態によるＸＰＩＣ回路３の動作について説明する。
【００４４】
自偏差側信号に交差偏波干渉成分がもれ込んでいる場合、誤差検出回路６で生成される誤差信号には交差偏波干渉成分の影響が現れているため、誤差検出回路６で生成された誤差信号と異偏波側信号との間には相関がある。そのため、ＸＰＩＣ回路３においては、相関が取れる位置のタップ係数Ｃが成長し、そのタップ係数Ｃを元に自偏差側信号中から交差偏波干渉成分を打ち消すＸＰＩＣ信号が生成される。そして、加算器４において、ＸＰＩＣ回路３で生成されたＸＰＩＣ信号が自偏差側信号に加算されることにより、交差偏波干渉成分によるビット誤り特性劣化を改善することができる。
【００４５】
なお、ＸＰＩＣ回路３の動作については、例えば、上述した特許文献１に開示されているので、以下ではＸＰＩＣ回路３をリセットする時の動作について詳しく述べる。ここでは前提条件として、自偏差側信号にはある程度の交差偏波干渉成分がもれ込んでおり、その交差偏波干渉成分を打ち消すためのＸＰＩＣ信号がＸＰＩＣ回路３から出力されているものとする。
【００４６】
図６は、図５に示した各構成部分の動作を説明するタイムチャートである。
【００４７】
時刻ｔ１において、ＸＰＩＣ回路３が非リセット状態、すなわちＸＰＩＣリセット信号がＨである時には、セレクタ１５では、相関器１４の出力が選択されてアップダウンカウンタ１７のアップダウン入力に出力される。
【００４８】
また、カウンタ制御回路１６からアップダウンカウンタ１７のリセット入力に出力されているカウンタリセット信号はＨであるため、アップダウンカウンタ１７では通常のカウント動作が行われる。したがって、アップダウンカウンタ１７においては、相関器１４の出力に応じたタップ係数Ｃが生成される。
【００４９】
時刻ｔ２において、ＸＰＩＣ回路３がリセット状態、すなわちＸＰＩＣリセット信号がＬになった時には、セレクタ１５ではカウンタ制御回路１６の出力が選択されてアップダウンカウンタ１７のアップダウン入力に出力される。このカウンタ制御回路１６の出力は、アップダウンカウンタ１７のカウンタ出力値、すなわちタップ係数Ｃが正の値であったときにはカウントダウンする信号Ｌとなり、逆に負の値であったときにはカウントアップする信号Ｈとなる。この状態では、アップダウンカウンタ１７のカウンタ出力、すなわちタップ係数Ｃが徐々に０に近づいていくため、トランスバーサルフィルタ７から出力されるＩｃｈ側ＸＰＩＣ信号は徐々に０に近づくことになる。
【００５０】
時刻ｔ３において、アップダウンカウンタ１７のカウンタ出力が最終的に０になると、カウンタ制御回路１６からアップダウンカウンタ１７のリセット入力に出力されているカウンタリセット信号がＬになるため、アップダウンカウンタ１７がリセットされる。以降ＸＰＩＣリセット信号がＬである限りアップダウンカウンタ１７は動作することがない。
【００５１】
時刻ｔ４において、ＸＰＩＣ回路３がリセット状態から解除され、ＸＰＩＣリセット信号がＨになった時には、セレクタ１５では相関器１４の出力が選択され、また、カウンタ制御回路１６からアップダウンカウンタ１７のリセット入力に出力されているカウンタリセット信号も即座に解除されてＨになる。そのため、アップダウンカウンタ１７においては、ＸＰＩＣ回路３がリセット状態から解除された瞬間にすぐに通常のカウント動作が開始され、相関器１４の出力に応じたタップ係数Ｃが生成され始める。
【００５２】
上述したように本実施形態においては、ＸＰＩＣ回路３がリセット状態に切り替えられた時に、タップ係数生成回路８から出力されるタップ係数が徐々に０に近づくため、トランスバーサルフィルタ７からから出力されるＸＰＩＣ信号は徐々に０に近づくことになる。
【００５３】
従って、図１０に示した従来のＸＰＩＣ回路のように、ＸＰＩＣ回路がリセット状態に切り替えられた瞬間に即座にタップ係数が急変して０になり、ＸＰＩＣ信号の出力が急激に変化することにより、デジタルマイクロ波通信装置内の他の回路の制御に悪影響を与えてビット誤り率特性が劣化することなく、交差偏波干渉補償回路をリセット状態に移行させることができる。
【００５４】
なお、図１０に示した従来のＸＰＩＣ回路においては、トランスバーサルフィルタが図３のような構成である場合、タップ係数を０にしてからしばらくの間は、フリップフロップ１１に残っているデータ信号が出力される。この信号はＸＰＩＣの補償信号としては不十分で、むしろビット誤り率特性に悪い影響を与える。
【００５５】
（第２の実施形態）
本発明の第２の実施形態によるＸＰＩＣ回路３は、第１の実施形態と同様に、図１に示すようにデジタルマイクロ波通信装置の復調装置に組み込まれて用いられるものである。なお、以下の説明では、第１の実施形態と同様に、ＸＰＩＣ回路３の全体構成のうち、Ｉｃｈ側ＸＰＩＣ信号の出力部分の構成についてのみ図示して説明することとし、Ｑｃｈ側ＸＰＩＣ信号の出力部分は同等の構成であるため説明を省略する。
【００５６】
図７は、本発明の第２の実施形態によるＸＰＩＣ回路３を示す図であり、Ｉｃｈ側ＸＰＩＣ信号の出力部分の構成のみを示している。
【００５７】
図７に示したＸＰＩＣ回路３は、タップ係数生成回路８の代わりに、タップコントローラの部分の構成のみが異なるタップ係数生成回路１８を設けた点と、出力制御器１９および加算器２０を追加した点とが、図２に示したＸＰＩＣ回路とは異なる。なお、トランスバーサルフィルタ７の構成は図３と同じである。また、図７に示したＸＰＩＣ回路３は、Ｑｃｈ側ＸＰＩＣ信号の出力部分に、図７と同等のトランスバーサルフィルタ、タップ係数生成回路、出力制御器および加算器の組を備えているが、これらは省略されている。
【００５８】
図８は、図７に示したタップ係数生成回路１８の一構成例を示す図である。
【００５９】
図８に示したタップ係数生成回路１８は、アップダウンカウンタ１７の代わりに、ホールド機能を有するアップダウンカウンタ２１を設けた点と、セレクタ１５およびカウンタ制御回路１６を削除した点とが、図５に示したタップ係数生成回路８とは異なる。なお、相関器１４の構成は図５と同じである。
【００６０】
アップダウンカウンタ２１は、上述のようにホールド機能を有しており、ＸＰＩＣリセット信号がＬ、すなわちリセット状態である時にはカウント動作を停止し、直前の値を保持する。また、相関器１４から直接アップダウン入力へ入力された信号の極性によってカウントアップもしくはカウントダウンし、そのカウンタ出力値がタップ係数Ｃとなる。ここでは、アップダウン入力がＨの時にカウントアップし、Ｌの時にカウントダウンするものとする。また、リセット入力へ入力されたカウンタリセット信号がＬの時には、ＸＰＩＣリセット信号の極性によらず、カウンタ出力が０にリセットされる。
【００６１】
出力制御器１９は、ダウンカウンタで構成されており、ＸＰＩＣリセット信号がＨ、すなわち非リセット状態である時には、カウンタリセット信号をＨ（非リセット状態）にしてタップ係数生成回路１８内のアップダウンカウンタ２１のリセット入力に出力するとともに、ダウンカウンタが１．０にプリセットされる。ＸＰＩＣリセット信号がＬになった時にはダウンカウンタがカウントダウンを開始し、０になるまでカウントダウンする。また、ダウンカウンタのカウンタ出力が０になった時には、カウンタリセット信号をＬ（リセット状態）にしてタップ係数生成回路１８内のアップダウンカウンタ２１のリセット入力に出力する。
【００６２】
乗算器２０は、トランスバーサルフィルタ７の出力と出力制御器１９の出力とを掛け合わせ、その乗算結果をＩｃｈ側ＸＰＩＣ信号として出力する。
【００６３】
以下、本実施形態によるＸＰＩＣ回路３の動作として、ＸＰＩＣ回路３をリセットする時の動作について説明する。ここでは前提条件として、自偏差側信号にはある程度の交差偏波干渉成分がもれ込んでおり、その交差偏波干渉成分を打ち消すためのＸＰＩＣ信号がＸＰＩＣ回路３から出力されているものとする。
【００６４】
図９は、図８に示した各構成部分の動作を説明するタイムチャートである。
【００６５】
時刻ｔ１において、ＸＰＩＣ回路３が非リセット状態、すなわちＸＰＩＣリセット信号がＨである時には、出力制御器１９内のダウンカウンタが１．０にプリセットされる。
【００６６】
また、出力制御器１９からアップダウンカウンタ２１のリセット入力に出力されているカウンタリセット信号はＨであるため、アップダウンカウンタ２１では通常のカウント動作が行われる。したがって、アップダウンカウンタ２１においては、相関器１４の出力に応じたタップ係数Ｃが生成される。
【００６７】
時刻ｔ２において、ＸＰＩＣ回路３がリセット状態、すなわちＸＰＩＣリセット信号がＬになった時には、アップダウンカウンタ２１ではカウント動作が停止され、直前の値が保持される。
【００６８】
また、出力制御器１９内のダウンカウンタではカウントダウンのカウント動作が開始され、出力制御器１９の出力は徐々に０に近づいていく。そして、乗算器２０によって、出力制御器１９の出力がトランスバーサルフィルタ７の出力と掛け合わされるため、トランスバーサルフィルタ７から出力されるＩｃｈ側ＸＰＩＣ信号は徐々に０に近づいていく。
【００６９】
時刻ｔ３において、出力制御器１９の出力が０になると、出力制御器１９からアップダウンカウンタ２１のリセット入力に出力されているカウンタリセット信号がＬになるため、アップダウンカウンタ２１がリセットされ、カウント値が０になる。
【００７０】
時刻ｔ４において、ＸＰＩＣ回路３がリセット状態から解除され、ＸＰＩＣリセット信号がＨになった時には、出力制御器１９からアップダウンカウンタ２１のリセット入力に出力されているカウンタリセット信号がＨになるとともに、出力制御器１９内のダウンカウンタが即座に１．０にプリセットされ、また、アップダウンカウンタ２１のホールドおよびリセットが即座に解除される。そのため、アップダウンカウンタ２１においては、ＸＰＩＣ回路３がリセット状態から解除された瞬間にすぐに通常のカウント動作が開始され、相関器１４の出力に応じたタップ係数Ｃが生成され始め、収束状態に向かう。したがって、ＸＰＩＣ回路３の収束時間が、新たに追加する回路によって影響を受けることがない。
【００７１】
なお、時刻ｔ２でＸＰＩＣリセット信号がＬになった瞬間にアップダウンカウンタ２１をホールドする理由は、出力制御器１９と乗算器２０によってＩｃｈ側ＸＰＩＣ信号の出力値が絞られ小さくなると、それを補うためにさらにタップ係数Ｃが大きくなり、ＸＰＩＣ出力を徐々に小さくすることができないためである。
【００７２】
上述したように本実施形態においては、ＸＰＩＣ回路３がリセット状態に切り替えられた時に、出力制御器１９の出力が徐々に０に近づき、この出力とトランスバーサルフィルタ７の出力とが掛け合わされたものがＸＰＩＣ信号として出力されるため、ＸＰＩＣ信号は徐々に０に近づくことになる。
【００７３】
従って、ＸＰＩＣ回路がリセット状態に切り替えられた時に、デジタルマイクロ波通信装置内の他の回路の制御に悪影響を与えてビット誤り率特性が劣化することなく、交差偏波干渉補償回路をリセット状態に移行させることができる。
【００７４】
【発明の効果】
以上説明したように本発明は、交差偏波干渉補償回路がリセット状態に切り替えられた時には、交差偏波干渉補償信号の出力を徐々に０に近づける構成としたため、従来技術のように、ＸＰＩＣ信号の出力値が急変することで、ＸＰＩＣ回路以外の他の回路の制御に悪影響を与えてビット誤り率特性が劣化することなく、交差偏波干渉補償回路をリセット状態に移行させることができる。
【００７５】
また、交差偏波干渉補償回路が非リセット状態に切り替えられた時には、即時にタップ係数が生成され始め、収束状態に向かうため、本発明が交差偏波干渉補償信号の収束時間に影響を及ぼすことが無い。
【図面の簡単な説明】
【図１】本発明の交差偏波干渉補償回路を用いたデジタルマイクロ波通信装置の復調装置の一構成例を示す図である。
【図２】本発明の第１の実施形態による交差偏波干渉補償回路を示す図である。
【図３】図２に示したトランスバーサルフィルタの一構成例を示す図である。
【図４】図２に示したタップ係数生成回路の一構成例を示す図である。
【図５】図４に示したタップコントローラの一構成例を示す図である。
【図６】図５に示した各構成部分の動作を説明するタイムチャートである。
【図７】本発明の第２の実施形態によるＸＰＩＣ回路を示す図である。
【図８】図７に示したタップ係数生成回路内に設けられたタップコントローラの一構成例を示す図である。
【図９】図８に示した各構成部分の動作を説明するタイムチャートである。
【図１０】従来のタップコントローラの一構成例を示す図である。
【符号の説明】
１　　Ａ／Ｄ変換器
２　　直交検波器
３　　交差偏波干渉補償回路（ＸＰＩＣ回路）
４　　加算器
５　　ＡＧＣ回路
６　　誤差検出回路
７　　トランスバーサルフィルタ
８　　タップ係数生成回路
９　　乗算器
１０　　加算器
１１　　フリップフロップ
１２　　タップコントローラ
１３　　フリップフロップ
１４　　相関器
１５　　セレクタ
１６　　カウンタ制御回路
１７　　アップダウンカウンタ
１８　　タップ係数生成回路
１９　　出力制御器
２０　　加算器
２１　　アップダウンカウンタ
【図１】
2004112288.tif 000003
【図２】
2004112288.tif 000004
【図３】
2004112288.tif 000005
【図４】
2004112288.tif 000006
【図５】
2004112288.tif 000007
【図６】
2004112288.tif 000008
【図７】
2004112288.tif 000009
【図８】
2004112288.tif 000010
【図９】
2004112288.tif 000011
【図１０】
2004112288.tif 000012